(57)【要約】【課題】使用者が要求していない読取画像の転送を防止することができる画像処理装置、画像処理システム及びプログラムを提供する。【解決手段】画像処理装置は、原稿を読み取る原稿読取手段と、ホスト装置からの命令とは独立して、２枚目以降の原稿画像を読み取るように前記原稿読取手段を制御する読取制御手段と、前記原稿読取手段により読み取られた原稿画像を転送する画像転送手段と、前記原稿読み取り手段が原稿を１枚読み取る毎に前記画像転送手段が原稿画像を転送される場合に、前記原稿読取手段により読み取られた原稿のページ数と前記画像転送手段により転送される原稿画像のページ数とから前記画像転送手段を制御する転送制御手段と、を有する。【選択図】図５
2019092135.tif 000002
【特許請求の範囲】
【請求項１】
原稿を読み取る原稿読取手段と、
ホスト装置からの命令とは独立して、２枚目以降の原稿画像を読み取るように前記原稿読取手段を制御する読取制御手段と、
前記原稿読取手段により読み取られた原稿画像を転送する画像転送手段と、
前記原稿読み取り手段が原稿を１枚読み取る毎に前記画像転送手段により原稿画像が転送される場合に、前記原稿読取手段により読み取られた原稿のページ数と前記画像転送手段により転送される原稿画像のページ数とから前記画像転送手段を制御する転送制御手段と、
を有する画像処理装置。
【請求項２】
前記転送制御手段は、読み取る原稿が無く、かつ、前記原稿読取手段により読み取られた原稿画像のページ数と、前記転送手段により転送された画像のページ数とが一致する場合、前記画像転送手段による画像の転送を終了する請求項１記載の画像処理装置。
【請求項３】
前記転送制御手段は、前記原稿読取手段により読み取られた原稿画像のページ数が前記転送手段により転送された画像のページ数よりも大きい場合、前記画像転送手段による画像の転送を継続する請求項１記載の画像処理装置。
【請求項４】
前記転送制御手段は、前記原稿読取手段により読み取られた原稿画像のページ数が前記転送手段により転送された画像のページ数よりも大きい場合であっても中止命令を受けた場合、前記画像転送手段による画像の転送を中止する請求項３記載の画像処理装置。
【請求項５】
前記転送制御手段は、前記原稿読取手段により読み取られた原稿のページ数を記録する第１の記録手段と、前記画像転送手段により転送された画像のページ数を記録する第２の記録手段と、前記第１の記録手段により記録された原稿のページ数と前記第２の記録手段により記録された画像のページ数とを比較する比較手段と、を有する請求項１から４いずれか記載の画像処理装置。
【請求項６】
複数の原稿を読み取る自動原稿送り装置を有し、前記原稿読取手段は、前記自動原稿送り装置により送られる原稿を読み取る請求項１から５いずれか記載の画像処理装置。
【請求項７】
読み取った原稿画像を送信する画像処理装置と、
前記画像処理装置から送信された画像を受信するホスト装置とを有し、
前記画像処理装置は、原稿画像を読み取る原稿読取手段と、
前記ホスト装置から送られる命令とは独立して、２枚目以降の原稿画像を読み取るように前記原稿読取手段を制御する読取制御手段と、
前記原稿読取手段により読み取られた画像を前記ホスト装置に転送する画像転送手段と、
前記原稿読み取り手段が原稿を１枚読み取る毎に前記画像転送手段により原稿画像が転送される場合に、前記原稿読取手段により読み取られた原稿のページ数と前記画像転送手段により前記ホスト装置に転送された原稿画像のページ数とから前記画像転送手段を制御する転送制御手段と、
を有する画像処理システム。
【請求項８】
前記ホスト装置は、ＴＷＡＩＮ規格に対応したスキャンドライバがインストールされ、前記画像処理装置は、前記ホスト装置のスキャンドライバにより操作される請求項７記載の画像処理システム。
【請求項９】
前記ホスト装置は、ＴＷＡＩＮ規格に対応したアプリケーションソフトウエアがインストールされている請求項８記載の画像処理システム。
【請求項１０】
原稿画像を読み取るステップと、
ホスト装置からの命令とは独立して、２枚目以降の原稿画像を読み取るように前記原稿読取手段を制御するステップと、
読み取られた画像を転送するステップと、
原稿を１枚読み取る毎に原稿画像が転送される場合に、読み取られた原稿のページ数と転送された原稿画像のページ数とから転送を制御するステップと、
を有するコンピュータに実行させるためのプログラム。
【発明の詳細な説明】
【技術分野】
【０００１】
本発明は、画像処理装置、画像処理システム及びプログラムに関する。
【背景技術】
【０００２】
特許文献１は、ホスト装置からの読取開始コマンドから独立して給紙手段を制御して２枚目以降の原稿の搬送を開始させるように構成した画像処理装置を開示する。
【先行技術文献】
【特許文献】
【０００３】
【特許文献１】特開２００９−３０３０９３号公報
【発明の概要】
【発明が解決しようとする課題】
【０００４】
上記の従来例においては、読取開始コマンドから独立して給紙手段を制御し、その読み取った画像をホスト装置側の記憶装置に記憶するように転送させるようになっている。このため、使用者が要求していない読取画像までもがホスト装置に転送されてしまうおそれがある。
【０００５】
本発明は、使用者が要求していない読取画像の転送を防止することができる画像処理装置、画像処理システム及びプログラムを提供することを目的としている。
【課題を解決するための手段】
【０００６】
請求項１に係る本発明は、原稿を読み取る原稿読取手段と、ホスト装置からの命令とは独立して、２枚目以降の原稿画像を読み取るように前記原稿読取手段を制御する読取制御手段と、前記原稿読取手段により読み取られた原稿画像を転送する画像転送手段と、前記原稿読み取り手段が原稿を１枚読み取る毎に前記画像転送手段により原稿画像が転送される場合に、前記原稿読取手段により読み取られた原稿のページ数と前記画像転送手段により転送される原稿画像のページ数とから前記画像転送手段を制御する転送制御手段と、を有する画像処理装置である。
【０００７】
請求項２に係る本発明は、前記転送制御手段は、読み取る原稿が無く、かつ、前記原稿読取手段により読み取られた原稿画像のページ数と、前記転送手段により転送された画像のページ数とが一致する場合、前記画像転送手段による画像の転送を終了する請求項１記載の画像処理装置である。
【０００８】
請求項３に係る本発明は、前記転送制御手段は、前記原稿読取手段により読み取られた原稿画像のページ数が前記転送手段により転送された画像のページ数よりも大きい場合、前記画像転送手段による画像の転送を継続する請求項１記載の画像処理装置である。
【０００９】
請求項４に係る本発明は、前記転送制御手段は、前記原稿読取手段により読み取られた原稿画像のページ数が前記転送手段により転送された画像のページ数よりも大きい場合であっても中止命令を受けた場合、前記画像転送手段による画像の転送を中止する請求項３記載の画像処理装置である。
【００１０】
請求項５に係る本発明は、前記転送制御手段は、前記原稿読取手段により読み取られた原稿のページ数を記録する第１の記録手段と、前記画像転送手段により転送された画像のページ数を記録する第２の記録手段と、前記第１の記録手段により記録された原稿のページ数と前記第２の記録手段により記録された原稿画像のページ数とを比較する比較手段と、を有する請求項１から４いずれか記載の画像処理装置である。
【００１１】
請求項６に係る本発明は、複数の原稿を読み取る自動原稿送り装置を有し、前記原稿読取手段は、前記自動原稿送り装置により送られる原稿を読み取る請求項１から５いずれか記載の画像処理装置ある。
【００１２】
請求項７に係る本発明は、読み取った原稿画像を送信する画像処理装置と、前記画像処理装置から送信された画像を受信するホスト装置とを有し、前記画像処理装置は、原稿画像を読み取る原稿読取手段と、前記ホスト装置から送られる命令とは独立して、２枚目以降の原稿画像を読み取るように前記原稿読取手段を制御する読取制御手段と、前記原稿読取手段により読み取られた画像を前記ホスト装置に転送する画像転送手段と、前記原稿読み取り手段が原稿を１枚読み取る毎に前記画像転送手段により原稿画像が転送される場合に、前記原稿読取手段により読み取られた原稿のページ数と前記画像転送手段により前記ホスト装置に転送された原稿画像のページ数とから前記画像転送手段を制御する転送制御手段と、を有する画像処理システムである。
【００１３】
請求項８に係る本発明は、前記ホスト装置は、ＴＷＡＩＮ規格に対応したスキャンドライバがインストールされ、前記画像処理装置は、前記ホスト装置のスキャンドライバにより操作される請求項７記載の画像処理システムである。
【００１４】
なお、ここで、ＴＷＡＩＮ規格とは、コンピュータ上で実行中のアプリケーションソフトウエアからイメージスキャナなどの入力機器を制御して画像データを取り込むための技術仕様を定めた標準規格の一つである。TWAIN Working Groupが開発したもので、technology without an interesting nameの略である。イメージスキャナのドライバソフトウエアとアプリケーションソフトウエア(画像編集ソフトなど)の双方がＴＷＡＩＮ規格に対応していれば、アプリケーションソフトウエアからコンピュータに接続されたスキャナを呼び出して画像を取り込み、すぐに編集を始めることができる。また、スキャンドライバとは、スキャナ機器を制御するためのプログラムをいう。
【００１５】
請求項９に係る本発明は、前記ホスト装置は、ＴＷＡＩＮ規格に対応したアプリケーションソフトウエアがインストールされている請求項８記載の画像処理システムである。
なお、アプリケーションソフトウエアとは、特定の作業を行うために使用するソフトウエアの総称であり、オペレーティングソフトウエア上で動作させることで目的に応じた作業を行うことを可能とするものである。
【００１６】
請求項１０に係る本発明は、原稿画像を読み取るステップと、ホスト装置からの命令とは独立して、２枚目以降の原稿画像を読み取るように前記原稿読取手段を制御するステップと、読み取られた画像を転送するステップと、原稿を１枚読み取る毎に原稿画像が転送される場合に、読み取られた原稿のページ数と転送された原稿画像のページ数とから転送を制御するステップと、を有するコンピュータに実行させるためのプログラムである。
【発明の効果】
【００１７】
請求項１、７又は１０に係る本発明によれば、使用者が要求していない読取画像の転送を防止することができる。
【００１８】
請求項２に係る本発明によれば、請求項１に係る本発明の効果に加えて、読み取った原稿画像のページ数と転送される画像のページ数とを一致させることができる。
【００１９】
請求項３に係る本発明によれば、請求項１に係る本発明の効果に加えて、読み取った原稿画像のページ数と転送される画像のページ数とが一致するまで原稿画像の転送を継続することができる。
【００２０】
請求項４に係る本発明によれば、請求項３に係る本発明の効果に加えて、ホスト装置から中止命令を受けた場合、読み取った原稿がまだ残っていても原稿画像の転送を中止することができる。
【００２１】
請求項５に係る本発明によれば、請求項１から４いずれかに係る本発明の効果に加えて、読み取った原稿のページ数と転送される原稿画像のページ数とを比較することができる。
【００２２】
請求項６に係る本発明によれば、請求項１から５いずれかに係る本発明の効果に加えて、複数の原稿を自動原稿送り装置により送ることにより読み取ることができる。
【００２３】
請求項８に係る本発明によれば、請求項７に係る本発明の効果に加えて、ＴＷＡＩＮ規格に対応したプリントドライバに適用することができる。
【００２４】
請求項９に係る本発明によれば、請求項８に係る本発明の効果に加えて、ＴＷＡＩＮ規格に対応したアプリケーションソフトウエアに適用することができる。
【図面の簡単な説明】
【００２５】
【図１】本発明の実施形態に係る画像処理システムを示す構成図である。
【図２】本発明の実施形態に係る画像処理装置を示す断面図である。
【図３】本発明の実施形態に用いたホスト装置の制御部を示すブロック図である。
【図４】本発明の実施形態に係る画像処理装置の制御部を示すブロック図である。
【図５】本発明の実施形態において、画像処理システムの処理フローを示すシーケンス図である。
【図６】本発明の実施形態において、キャンセルが生じた場合の処理フローを示すフローチャートである。
【発明を実施するための形態】
【００２６】
次に、本発明の実施の形態について図面を参照して詳細に説明する。
図１は、本発明の実施形態に係る画像処理システム１０が示されている。
【００２７】
画像形成システム１０は、ホスト装置１２及び画像処理装置１４がネットワーク１６により接続されている。ホスト装置１２は、例えばパーソナルコンピュータであり、また、画像処理装置１４は、例えば画像読取装置である。
【００２８】
画像処理装置１４は、図２に示すように、自動原稿送り装置１８と、この自動原稿送り装置１８により送られる原稿を読み取る読取部２０とから構成されている。
【００２９】
自動原稿送り装置１８は、複数枚の記録媒体からなる記録媒体束を積載する記録媒体収容部２２と、この記録媒体収容部２２の下方に設けられ、読み取りが終了した記録媒体を積載する排紙収容部２４とを備える。また、自動原稿送り装置１８は記録媒体収容部２２の記録媒体を取り出して搬送する送り出しロール２６を備える。さらに、取り出しロール２６の記録媒体搬送方向下流側には、記録媒体を一枚ずつ捌く捌き機構２８が設けられる。記録媒体が搬送される搬送路３０には、記録媒体搬送方向上流側から順に、搬送ロール３２〜３６、プラテンロール４０および排出ロール４２が設けられる。プラテンロール４０は、読取部２０にて読み込み中の記録媒体搬送を上から押えるようになっている。排出ロール４２は、読み込まれた記録媒体をさらに搬送すると共に排紙収容部２４に排出する。
【００３０】
第１のセンサ４４は、記録媒体収容部２２に設けられ、記録媒体収容部２２に記録媒体があるか否かを検出する。この第１のセンサ４４は、記録媒体収容部２２に記録媒体があるとアクチュエータを駆動する機械式のものであってもよいし、発光素子と受光素子を有し、光がさえぎられるか否かによって検出する光学式のものであってもよい。
【００３１】
第２のセンサ４６は、排紙収容部２４の上流側に設けられ、記録媒体が排紙されたか否かを検出する。この第２のセンサ４６は、記録媒体収容部２２が通過するとアクチュエータを駆動する機械式のものであってもよいし、発光素子と受光素子を有し、光がさえぎられるか否かによって記録媒体の通過を検出する光学式のものであってもよい。
【００３２】
また、読取部２０は、上面にプラテンガラス４８が設けられている。このプラテンガラス４８の下方には画像読取ユニット５０が配置されている。この画像読取ユニット５０は、プラテンロール４０の下方で静止して自動原稿送り装置１８により送られる原稿を読み取り（自動原稿送りモード）、あるいはプラテンガラス４８に沿って移動し、プラテンガラス４８上に置かれた原稿を読み取るようになっている（プラテンモード）。
【００３３】
図３は、ホスト装置１２における制御部５２のハードウエア構成を示す。
制御部５２は、ＣＰＵ５４、メモリ５６、記憶装置５８、ネットワークインターフェイス６０及び操作表示装置インターフェイス６２を有し、これらが制御バス６４を介して接続されている。
【００３４】
ＣＰＵ５４は、メモリ５６に格納された制御プログラムに基づいて予め定められた処理を実行する。ネットワークインターフェイス６０は、前述したネットワーク１６に接続されている。
【００３５】
記憶装置５８は、例えばハードディスク等からなり、ＴＷＡＩＮ規格に対応したスキャンドライバ及びＴＷＡＩＮ規格に対応したアプリケーションソフトウエア（例えばＤｏｃｕｗｏｒｋｓ、Ｄｏｃｕｗｏｒｋｓは富士ゼロックス株式会社の登録商標）がインストールされて格納されている。
【００３６】
操作表示装置インターフェイス６２には操作表示装置６６が接続されている。操作表示装置６６は、例えばタッチパネルと液晶パネルとが組み合わせられ、表示された操作部を介して操作指示を行い、また操作結果が表示されるようになっている。
【００３７】
図４は、画像処理装置１４における制御部６８のハードウエア構成を示す。
制御部６８は、ＣＰＵ７０、メモリ７２、バッファ７４、記憶装置７６、ネットワークインターフェイス７８及びコントローラ８０を有し、これらが制御バス８２を介して接続されている。
【００３８】
ＣＰＵ７０は、メモリ７２に格納された制御プログラムに基づいて予め定められた処理を実行する。ネットワークインターフェイス７６は、前述したネットワーク１６に接続されている。バッファ７４は、読み取った原稿画像を一時記憶する。
【００３９】
コントローラ８０は、前述した自動原稿送り装置１８及び読取部２０に接続され、自動原稿送り装置１８及び読取部２０を制御するようになっている。
【００４０】
図５は、画像処理システム１０における処理の流れを示すシーケンス図である。
ここでは、前述したＴＷＡＩＮ規格のアプリケーションソフトウエアが起動され、自動原稿送りモードが選択され、記録媒体収容部２２に載置された原稿の全てを転送させる場合について説明する。
【００４１】
まずホスト装置１２のアプリケーションソフトウエアは、ステップＳ１０において、スキャンドライバへ読取を指示する。スキャンドライバでは、アプリケーションソフトウエアから読取指示を受けると、ステップＳ１２に進み、画像処理装置１４に原稿確認コマンド（原稿確認命令）を送信する。
【００４２】
画像処理装置１４においては、スキャンドライバから原稿確認コマンドを受けると、ステップＳ１４に進み、記録媒体収容部２２に原稿が載っているか否かのチェックを行う。このチェックは、第１のセンサ４４の出力に基づいて行われる。
【００４３】
ステップＳ１４において、記録媒体収容部２２に原稿が載っていないと判定された場合は、ステップＳ１６へ進み、原稿が載っていないことをスキャンドライバに通知する。原稿が載っていないことを受信したスキャンドライバでは、ステップＳ１８に進み、画像処理装置１４へ読取終了コマンドを送信する。読取終了コマンドを受信した画像処理装置１４では、ステップＳ２０へ進み、初期化して動作を終了する。また、スキャンドライバにおける次のステップＳ２２においては、アプリケーションソフトウエアに対して読取終了を通知する。アプリケーションソフトウエアでは、読取終了を受けると、ステップＳ２４において、前述した操作表示装置６６に読取終了を表示し、処理を終了する。
【００４４】
一方、ステップＳ１４において、記録媒体収容部２２に原稿が載っていると判定された場合は、ステップＳ２６に進み、スキャンドライバに原稿があることを通知する。原稿があることを通知されたスキャンドライバでは、ステップＳ２８に進み、画像処理装置１４へ読取開始コマンドを送信する。
【００４５】
画像処理装置１４では、スキャンドライバから読取開始コマンドを受信すると、ステップＳ３０において、原稿を読み取る。このステップＳ３０で原稿を読み取ったら次のステップＳ３２に進み、読み取った原稿のページ数を記録する。なお、原稿を読み取ったかは、第２のセンサ４６の出力に基づいて行われる。
【００４６】
スキャンドライバでは、ステップＳ２８の処理が終了すると、次のステップＳ３４に進み、画像処理装置１４へ原稿読取コマンドを送信する。画像処理装置１４では、スキャンドライバから原稿読取コマンドを受信すると、ステップＳ３６に進み、ステップＳ３６において読み取った原稿画像をスキャンドライバへ転送する。このステップＳ３６により原稿画像を転送すると、次のステップＳ３８に進み、転送した原稿画像のページ数を記録する。
【００４７】
一方、スキャンドライバでは、ステップＳ４０において、画像処理装置１４から原稿画像を受信すると、次のステップＳ４２に進む。このステップＳ４２においては、受信した原稿画像を画像処理する。ここでの画像処理には、画像の変形・変換、ノイズ除去、コントラスト強調等が含まれる。
【００４８】
ステップＳ４２における画像処理が終了すると、ステップＳ１２に戻る。
ここまでのフローは、１ページ目の原稿に対する処理である。
【００４９】
次に２ページ以降の原稿読取フローについて説明する。
前述したように、ステップＳ１４においては、記録媒体収容部２２に原稿が載っているか否かのチェックを行うことになっているが、ここでは次のように判定される。
（１）記録媒体収容部２２に原稿が載っている→原稿が載っている。
（２）記録媒体収容部２２に原稿が載っていない。且つステップＳ３２で記録した、読み取った原稿のページ数＝ステップＳ３８で記録した転送した原稿画像のページ数である。→原稿が載っていない。
（３）記録媒体収容部２２に原稿が載っていない。且つステップＳ３２で記録した、読み取った原稿のページ数＞ステップＳ３８で記録した転送した原稿画像のページ数である。→原稿が載っている。
１ページ目の原稿も同様であるが、読み取った原稿ページ数及び転送した原稿画像のページ数ともに初期値として０になっているので、実際には記録媒体収容部２２に原稿が載っているか否かで判定される。
【００５０】
このように、読み取った原稿のページ数と転送した原稿画像のページ数とを比較するのは、後述するように、２ページ以降の原稿については、スキャンドライバの命令とは独立して読取を行うので、転送を制御する必要があるからである。
【００５１】
ステップＳ１４において、原稿が載っていると判定された場合は、ステップＳ２６へ進み、スキャンドライバへ原稿があることを通知する。スキャンドライバでは、ステップＳ２８において、画像処理装置１４へ読取開始コマンドを送信するが、画像処理装置１４では、ステップＳ２８における読取開始コマンドとは独立して、ステップＳ２６からステップＳ３０へ進む。このため、画像処理装置１４においては、スキャンドライバからの命令とは独立して次の原稿を読み、バッファ７４に一時的に原稿を記憶する。次のステップＳ３２においては、読み取った原稿のページ数を記録する。
なお、バッファ７４の容量が足りない場合は、原稿の読取を一時中断し、ステップＳ３６で原稿画像を転送してバッファ７４に空き容量が生じるまで待機する。
【００５２】
一方、スキャンドライバでは、ステップＳ２８の処理が終了すると、ステップＳＳ３４に進み、画像処理装置１４に原稿読取コマンドを送信する。原稿読取コマンドを受けた画像処理装置１４では、ステップＳ３６に進み、原稿画像を転送し、次のステップＳ３８で転送した原稿画像のページ数を記録する。
【００５３】
１枚目の原稿については、ステップＳ３８で転送した原稿画像のページ数を記録した後にはプリントドライバのステップＳ４０及びステップＳ４２に進むが、２枚目の原稿については、ステップＳ３８の処理が終了すると、ステップＳ１４に戻る。このため、時間を要するステップＳ４２の画像処理を経ることなく、原稿が載っていれば次々の原稿を読み、画像処理に要する時間を少なくする。
【００５４】
ＴＷＡＩＮ規格では、原稿を１枚読み取る毎にステップＳ４２の画像処理を行い、ステップＳ４２の画像処理が終了した後にステップＳ１２に戻り、原稿確認コマンドを送信するようになっている。それに対し、本実施形態においては、原稿２枚目以降は、スキャンドライバからの原稿確認コマンドを待たずに原稿を読み取るようになっている。このため、ステップＳ１２の原稿確認コマンドが送信された時、すでに先行して原稿の読取をおこなっており、記録媒体収容部２２には原稿が残っていない状況が起こりうる。こうした状況になった場合、そのまま原稿が載っていないとステップＳ１４で判定してしまうと、ステップＳ１６に進み、スキャンドライバへ原稿がないことを通知し、スキャンドライバでは、ステップＳ１８で画像処理装置１４へ読取終了コマンドが発行され、画像処理装置１４では処理が終了し、まだバッファに原稿画像が残されているに関わらず、画像処理装置１４での動作が終了してしまう。
【００５５】
そこで、本実施形態においては、ステップＳ１４においては、（２）、（３）で示したように、実際には原稿が無くなっても読み取った原稿の枚数と転送した原稿画像のページ数とが一致するまでは、「原稿が載っている」とみなし、バッファに残っている原稿画像が全て送ることができるようにしてある。
【００５６】
図６は、ホスト装置１２から画像処理装置１４へキャンセルを要求した場合のフローを示すフローチャートである。
なお、キャンセルとは、一度予約した行為を途中で中止することをいい、ここでは全ての原稿が転送される前に中止を要求することをいう。
【００５７】
まず、ステップＳ５０において、ホスト装置１２からキャンセル要求を受け付ける。次のステップＳ５２においては、前述したステップＳ３８で記録した転送済み原稿画像のページ数を読み出す。
【００５８】
次のステップＳ５４においては、ステップＳ５２で読み出した転送済み原稿画像のページ数に基づいて課金データを生成する。即ち、転送した原稿画像に対して課金を行い、画像処理装置１４で原稿を読み取った枚数での課金は行わないようにしてある。
【００５９】
そして、次のステップＳ５６においては、読取データを破棄して処理を終了する。
【００６０】
なお、上記実施形態においては、画像処理装置として画像読取専用のスキャナを例に挙げたが、これに限定されず、画像読取に加えて例えば複写や印刷が可能なデバイスであってもよい。また、ホスト装置としてパーソナルコンピュータを例に挙げたが、スマートフォンのようなデバイスも含まれる。
【符号の説明】
【００６１】
１０    画像処理システム
１２    ホスト装置
１４    画像処理装置
１８    自動原稿送り装置
２０    読取部
２２    記録媒体収容部
４４    第１のセンサ
４６    第２のセンサ
５２    制御部
５４    ＣＰＵ
５６    メモリ
５８    記憶装置
７０    ＣＰＵ
７２    メモリ
７４    バッファ
７６    記憶装置
【図１】
2019092135.tif 000003
【図２】
2019092135.tif 000004
【図３】
2019092135.tif 000005
【図４】
2019092135.tif 000006
【図５】
2019092135.tif 000007
【図６】
2019092135.tif 000008